(57)【特許請求の範囲】
【請求項１】
無線通信システムにおいてリソースを割り当てるための方法であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類することと、
少なくとも前記第１のリンクのリソース・ニーズに関する負荷情報を、バックホール接続を経由して受信することと、
前記負荷情報に基づいて、前記第１のリンクにおける送信のために、第１のサブ帯域のリソースを割り当て、前記第１のサブ帯域のリソースを使い果たした後、前記第２のリンクに関連付けられた第２のサブ帯域のリソースを割り当てることと
を備える方法。
【請求項２】
前記第２のサブ帯域のリソースを割り当てることは、前記第２のサブ帯域のリソースをランダム方式で割り当てることを備える請求項１に記載の方法。
【請求項３】
前記負荷情報は、少なくとも、前記第１のリンク、前記第２のリンク、および第３のリンクのリソース・ニーズに関する負荷情報を備え、
前記割り当てることは、前記第３のリンクよりも前記第２のリンクの負荷が少ないことを判定した後に、前記第２のリンクに関連付けられた前記第２のサブ帯域のリソースを割り当てることを決定することを備える
請求項１に記載の方法。
【請求項４】
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類することをさらに備え、
前記割り当てることは、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てることを備える
請求項１に記載の方法。
【請求項５】
前記割り当てることは、前記第１のサブ帯域および前記第３のサブ帯域のリソースを使い果たした後に、前記第２のサブ帯域のリソースをランダムに割り当てることを備える請求項４に記載の方法。
【請求項６】
前記第１のサブ帯域および前記第２のサブ帯域は前記第１のリンクおよび前記第２のリンクに関連付けられ、
通信リンクを分類するためのカラーリング・スキームにしたがって、異なる通信リンクが前記第１のサブ帯域および前記第２のサブ帯域に割り当てられる、
請求項１に記載の方法。
【請求項７】
通信リンクが各サブ帯域にマップされ、前記カラーリング・スキームが異なる通信リンクを各サブ帯域に割り当てる請求項６に記載の方法。
【請求項８】
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類するためのロジックと、
少なくとも前記第１のリンクのリソース・ニーズに関する負荷情報を、バックホール接続を経由して受信するためのロジックと、
前記負荷情報に基づいて、前記第１のリンクにおける送信のために、第１のサブ帯域のリソースを割り当てるためのロジックと、
前記第１のサブ帯域のリソースを使い果たした後、前記第２のリンクに関連付けられた第２のサブ帯域のリソースを割り当てるためのロジックと
を備える装置。
【請求項９】
前記第２のサブ帯域のリソースを割り当てるためのロジックは、前記第２のサブ帯域のリソースをランダム方式で割り当てるためのロジックを備える請求項８に記載の装置。
【請求項１０】
前記負荷情報は、少なくとも、前記第１のリンク、前記第２のリンク、および第３のリンクのリソース・ニーズに関する負荷情報を備え、
前記割り当てるためのロジックは、前記第３のリンクよりも前記第２のリンクの負荷が少ないことを判定した後に、前記第２のリンクに関連付けられた前記第２のサブ帯域のリソースを割り当てることを決定するためのロジックを備える
請求項８に記載の装置。
【請求項１１】
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類するためのロジックをさらに備え、
前記割り当てるためのロジックは、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てるためのロジックを備える
請求項８に記載の装置。
【請求項１２】
前記割り当てるためのロジックは、前記第１のサブ帯域および前記第３のサブ帯域のリソースを使い果たした後に、前記第２のサブ帯域のリソースをランダムに割り当てるためのロジックを備える請求項１１に記載の装置。
【請求項１３】
前記第１のサブ帯域および前記第２のサブ帯域は前記第１のリンクおよび前記第２のリンクに関連付けられ、
通信リンクを分類するためのカラーリング・スキームにしたがって、異なる通信リンクが前記第１のサブ帯域および前記第２のサブ帯域に割り当てられる、
請求項８に記載の装置。
【請求項１４】
通信リンクが各サブ帯域にマップされ、前記カラーリング・スキームが異なる通信リンクを各サブ帯域に割り当てる請求項１３に記載の装置。
【請求項１５】
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類する手段と、
少なくとも前記第１のリンクのリソース・ニーズに関する負荷情報を、バックホール接続を経由して受信する手段と、
前記負荷情報に基づいて、前記第１のリンクにおける送信のために、第１のサブ帯域のリソースを割り当てる手段と、
前記第１のサブ帯域のリソースを使い果たした後、前記第２のリンクに関連付けられた第２のサブ帯域のリソースを割り当てる手段と
を備える装置。
【請求項１６】
前記第２のサブ帯域のリソースを割り当てることは、前記第２のサブ帯域のリソースをランダム方式で割り当てることを備える請求項１５に記載の装置。
【請求項１７】
前記負荷情報は、少なくとも、前記第１のリンク、前記第２のリンク、および第３のリンクのリソース・ニーズに関する負荷情報を備え、
前記割り当てる手段は、前記第３のリンクよりも前記第２のリンクの負荷が少ないことを判定した後に、前記第２のリンクに関連付けられた前記第２のサブ帯域のリソースを割り当てることを決定する手段を備える
請求項１５に記載の装置。
【請求項１８】
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類する手段をさらに備え、
前記割り当てる手段は、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てる手段を備える
請求項１５に記載の装置。
【請求項１９】
前記割り当てることは、前記第１のサブ帯域および前記第３のサブ帯域のリソースを使い果たした後に、前記第２のサブ帯域のリソースをランダムに割り当てることを備える請求項１８に記載の装置。
【請求項２０】
前記第１のサブ帯域および前記第２のサブ帯域は前記第１のリンクおよび前記第２のリンクに関連付けられ、
通信リンクを分類するためのカラーリング・スキームにしたがって、異なる通信リンクが前記第１のサブ帯域および前記第２のサブ帯域に割り当てられる、
請求項１５に記載の装置。
【請求項２１】
通信リンクが各サブ帯域にマップされ、前記カラーリング・スキームが異なる通信リンクを各サブ帯域に割り当てる請求項２０に記載の装置。
【請求項２２】
１または複数のプロセッサによって実行されることが可能な格納された命令群を備え、無線通信システムにおいてリソースを割り当てるためのコンピュータ読取可能な記録媒体であって、前記命令群は、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類するための命令群と、
少なくとも前記第１のリンクのリソース・ニーズに関する負荷情報を、バックホール接続を経由して受信するための命令群と、
前記負荷情報に基づいて、前記第１のリンクにおける送信のために、第１のサブ帯域のリソースを割り当てるための命令群と、
前記第１のサブ帯域のリソースを使い果たした後、前記第２のリンクに関連付けられた第２のサブ帯域のリソースを割り当てるための命令群と
を備えるコンピュータ読取可能な記録媒体。
【請求項２３】
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類し、
少なくとも前記第１のリンクのリソース・ニーズに関する負荷情報を、バックホール接続を経由して受信し、
前記負荷情報に基づいて、前記第１のリンクにおける送信のために、第１のサブ帯域のリソースを割り当て、前記第１のサブ帯域のリソースを使い果たした後、前記第２のリンクに関連付けられた第２のサブ帯域のリソースを割り当てる、
ように構成された少なくとも１つのプロセッサを備える装置。
【発明の詳細な説明】
【優先権主張】
【０００１】
本特許出願は、ともに本願の譲受人に譲渡され、本明細書において参照によって明確に組み込まれている２００９年２月３日出願の「無線通信システムにおいてサブ帯域優先順位を取り扱うための装置および方法」（Apparatus and Method for Handling Sub-band Preference Order in a Wireless Communication System）と題された米国仮特許出願６１／１４９，６０４号、および２００９年５月２２日出願の「無線通信システムにおいてソフト・カラーリングおよび対応するサブ帯域優先順位の管理のためのシステムおよび方法」（Systems and Methods of Soft Coloring and Managing Corresponding Sub-band Preference Order in a Wireless Communication System）と題された米国仮特許出願６１／１８０，７０１号の利益を主張する。
【技術分野】
【０００２】
本開示のある態様は、無線通信に関し、さらに詳しくは、無線接続の管理に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されたＭＩＭＯチャネルは、空間チャネルと称されるＮＳ個の独立したチャネルへ分解されうる。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
本開示のある態様は、無線通信システムにおいてリソースを割り当てるための方法を提供する。この方法は一般に、第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも第２のリンクを、支配的な干渉リンクとして分類することと、少なくとも第１のリンクのリソース・ニーズに関する負荷情報を、バックホール接続を経由して受信することと、この負荷情報に基づいて、第１のリンクにおける送信のために、第１のサブ帯域のリソースを割り当て、第１のサブ帯域のリソースを使い果たした後、第２のリンクに関連付けられた第２のサブ帯域のリソースを割り当てることとを含む。
【０００８】
本開示のある態様は、無線通信システムにおいてリソースを割り当てるための装置を提供する。この装置は、一般に、第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも第２のリンクを、支配的な干渉リンクとして分類するためのロジックと、少なくとも第１のリンクのリソース・ニーズに関する負荷情報を、バックホール接続を経由して受信するためのロジックと、この負荷情報に基づいて、第１のリンクにおける送信のために、第１のサブ帯域のリソースを割り当てるためのロジックと、第１のサブ帯域のリソースを使い果たした後、第２のリンクに関連付けられた第２のサブ帯域のリソースを割り当てるためのロジックとを含む。
【０００９】
本開示のある態様は、無線通信システムにおいてリソースを割り当てるための装置を提供する。この装置は一般に、第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも第２のリンクを、支配的な干渉リンクとして分類する手段と、少なくとも第１のリンクのリソース・ニーズに関する負荷情報を、バックホール接続を経由して受信する手段と、この負荷情報に基づいて、第１のリンクにおける送信のために、第１のサブ帯域のリソースを割り当てる手段と、第１のサブ帯域のリソースを使い果たした後、第２のリンクに関連付けられた第２のサブ帯域のリソースを割り当てる手段とを含む。
【００１０】
本開示のある態様は、１または複数のプロセッサによって実行されることが可能な格納された命令群を有するコンピュータ読取可能媒体を備え、無線通信システムにおいてリソースを割り当てるためのコンピュータ・プログラム製品を提供する。これら命令群は一般に、第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも第２のリンクを、支配的な干渉リンクとして分類するための命令群と、少なくとも第１のリンクのリソース・ニーズに関する負荷情報を、バックホール接続を経由して受信するための命令群と、この負荷情報に基づいて、第１のリンクにおける送信のために、第１のサブ帯域のリソースを割り当てるための命令群と、第１のサブ帯域のリソースを使い果たした後、第２のリンクに関連付けられた第２のサブ帯域のリソースを割り当てるための命令群とを含む。
【００１１】
本開示のある態様は、無線通信システムにおいてリソースを割り当てるための装置を提供する。この装置は一般に、第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも第２のリンクを、支配的な干渉リンクとして分類し、少なくとも第１のリンクのリソース・ニーズに関する負荷情報を、バックホール接続を経由して受信し、この負荷情報に基づいて、第１のリンクにおける送信のために、第１のサブ帯域のリソースを割り当て、第１のサブ帯域のリソースを使い果たした後、第２のリンクに関連付けられた第２のサブ帯域のリソースを割り当てる、ように構成された少なくとも１つのプロセッサを含む。
【図面の簡単な説明】
【００１２】
【図１】図１は、無線通信システムの例を図示する。
【図２】図２は、アクセス・ポイントとユーザ端末との例のブロック図を図示する。
【図３】図３は、複数のアクセス・ポイントを有する無線通信システムの例を図示する。
【図４】図４は、本開示のある態様にしたがってリソース割当のために実行されうる動作の例を示す。
【図５】図５は、本開示のある態様にしたがってリソース割当のために実行されうる動作の例を示す。
【図４Ａ】図４Ａは、本開示のある態様にしたがってリソース割当を実行する構成要素の例を図示する。
【図５Ａ】図５Ａは、本開示のある態様にしたがってリソース割当を実行する構成要素の例を図示する。
【図６】図６は、本開示のある態様にしたがう動作の例を図示する。
【発明を実施するための形態】
【００１３】
本明細書で記載されたある技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１４】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００１５】
図１に示すように、１つの実施形態にしたがう多元接続無線通信システムが例示される。アクセス・ポイント１００（ＡＰ）は、１つは１０４と１０６を含み、他は１０８と１１０を含み、さらに別のものは１１２と１１４を含む複数のアンテナ・グループを含みうる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２およびアンテナ１１４と通信しており、ここでアンテナ１１２は、順方向リンク１２０でアクセス端末１１６に情報を送信し、逆方向リンク１１８でアクセス端末１１６から情報を受信する。ＦＤＤシステムでは、通信リンクは、通信のために異なる周波数を利用しうる。例えば、順方向リンク１２０は、逆方向リンク１１８によって使用されるものとは異なる周波数を使用しうる。
【００１６】
アクセス・ポイントは、端末との通信のために使用される固定局であり、アクセス・ポイント、ノードＢ、イボルブド・ノードＢ（ｅＮｏｄｅ  Ｂ）、あるいはその他のある専門用語で称されうる。アクセス端末はまた、アクセス端末、ユーザ機器（ＵＥ）、無線通信デバイス、端末、アクセス端末、あるいはその他いくつかの専門用語で称されうる。
【００１７】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００１８】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００１９】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２０】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２１】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２２】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２３】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００２４】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００２５】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２６】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されることにより、受信機システム２５０によって送信された逆方向リンク・メッセージが抽出される。さらに、プロセッサ２３０は、ビームフォーミング重みを決定するためにどの事前符号化行列を使用するかを決定するために、この抽出されたメッセージを処理する。
【００２７】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルが、ユーザ情報の転送のために、１つのＵＥに専用のポイント・トゥ・ポイント双方向チャネルである専用トラフィック・チャネル（ＤＴＣＨ）を備える。トラフィック・データを送信するためのポイント・トゥ・マルチポイントＤＬチャネルのためのマルチキャスト・トラフィック・チャネル（ＭＴＣＨ）。
【００２８】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備え、ＵＥ節電をサポートするＰＣＨ（ＤＲＸサイクルが、ネットワークによってＵＥへ示される）が、セル全体にわたってブロードキャストされ、ＰＨＹリソースへマップされる。ＰＨＹリソースは、他の制御／トラフィック・チャネルのために使用されうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００２９】
ＤＬ  ＰＨＹチャネルは、例えば、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）を備える。
【００３０】
ＵＬ  ＰＨＹチャネルは、例えば、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および、ブロードバンド・パイロット・チャネル（ＢＰＩＣＨ）を備えうる。
【００３１】
（無線通信システムにおいてサブ帯域優先順位を管理するための方法）  
図３は、複数のアクセス・ポイント１００であるＡＰ−１およびＡＰ−２を備えた多元接続無線通信システムの例を図示する。図示する例では、ＡＰ−１が、単一のアクセス端末（ＡＴ−１）にサービス提供する一方、ＡＰ−２が、２つのＡＴ、すなわちＡＴ−２とＡＴ−３とにサービス提供する。ある態様によれば、ＡＰのうちの１または複数は、例えば、従来のセルラ・サービスによってカバーされないエリアにおいてサービスを提供するために確立されたフェムトセル基地局またはピコセル基地局でありうる。
【００３２】
このような構成は、比較的無計画であり、従来のセルラ基地局構成の定義された形状を持たない。その結果、ＡＰ−１からの送信は、ＡＰ−２からの送信と干渉しうる。干渉を低減するために、ＡＰ−１およびＡＰ−２は、通信およびリソース割当を調整しうる。
【００３３】
本開示のある態様によれば、おのおののＡＰは、バックホール・リンク３５０を経由して、リソース・ネゴシエーション・メッセージ３１０を定期的に交換しうる。これらのメッセージは、送信のスケジュールおよび／または優先度付けを助けるために、例えば、チャネル条件に関する情報、受信機における干渉、および、トラフィック・フローのＱｏＳパラメータのようなさまざまなタイプの情報を含みうる。
【００３４】
ＡＰは、他の複数のＡＰからの送信との干渉を低減する方式でデータを送信／受信するリソースを、分散方式で決定するために、このようなメッセージで受信された情報を利用しうる。干渉を回避するために、送信周波数および送信電力は、ＱｏＳ要件を満足することを試みながら、公平に決定されうる。
【００３５】
バックホール接続３５０は典型的には高データ・スループットが可能であり、一般に、帯域幅が制限されていないので、リソース・ネゴシエーション・メッセージで、比較的大量の情報が交換されうる。これは、リソース割当に関するインテリジェントな決定を可能とするのに役立つ。例えば、ある実施形態によれば、バックホール接続３５０は、有線のインターネット・プロトコル（ＩＰ）接続でありうる。
【００３６】
例えば、多くの４Ｇ構成のようなある無線通信システムは、無計画であり、遠くの、および／または、人口の少ないエリアの有効通信範囲を高めるために、フェムト基地局およびピコ基地局に注目している。このような構成は、比較的無計画であり、定義されたセルラ基地局配置形状を欠く。
【００３７】
その結果、ＡＰ−１からの送信は、ＡＰ−２からの送信と干渉しうる。干渉を低減するために、ＡＰ−１およびＡＰ−２は、通信およびリソース割当を調整しうる。また、一般には、ほんの少数のモバイルだけが、おのおのの基地局と関連付けられるだろう。したがって、セル内の複数のトラフィック・ソース間の統計的な多重化が無くなることにより、リソースの静的な割当は、一般には、最適な戦略ではない。
【００３８】
複数のリソース間での比較的高速な時間スケール調整がなされないと、リンクにおける送信間でかなりの量の干渉が生じうる。これら送信は、互いに干渉し、「支配的な干渉体」（dominant interferers）と称される。したがって、この干渉を、少なくとも平均的に緩和するために、複数のリソースについてリソース割当を調整することが望ましいであろう。
【００３９】
従来システムでは、支配的な干渉体から所与の受信機への干渉を平均化するために、ランダム・ホッピングまたはランダム再使用が使用されてきた。しかしながら、これらの技術は、支配的な干渉体が、干渉する別のソースによる送信のために使用されるものと同じ周波数帯域で送信するであろうという限定された（しばしば、十分高い）可能性があるという短所を持つ。例えば、互いに大いに干渉する２つのリンクを考慮されたい。おのおののリンクが、バッファ全体を送信するために、帯域幅の半分しか必要としない場合、ランダム再使用は、２つのリンクが、（リソース・グラニュラリティに関わらず）０．５の確率で干渉するというスキームに至るだろう。しかしながら、本開示のある態様は、このような干渉の可能性を低減することに役立ちうる。
【００４０】
本開示のある態様によれば、ＡＰは、スペクトル・リソースを割り当てるためにハイブリッド技術を適用しうる。この技術は、ネットワークの負荷が低い場合、支配的な干渉体からの干渉を回避するために、比較的緩慢な時間スケール調整を利用しうる。ネットワークの負荷がより高く、おのおのの送信機が、送信すべき多くのビットを持っている場合、ある程度の干渉は、避けることが困難でありうる。このような場合、この技術は、例えば、干渉を平均化するために、ランダム再使用を利用することによって、干渉の効果を緩和することに努めるように動作しうる。
【００４１】
本明細書に記載されるように、この技術は、可能な場合には干渉の回避を試みる方式で、リソースを割り当てることを含みうる。必要であれば、その後、追加のリソースが、干渉を緩和する方式で割り当てられうる。言い換えれば、無線システムにおいて利用可能な帯域幅全体が、サブ帯域に分割され、これによって、送信間の干渉は、ある（例えば、隣接しない）サブ帯域において、スペクトル・リソースを用いて、一般に低くなる。しかしながら、システムが十分高い負荷を受けている場合、干渉していないサブ帯域が使い果たされ、追加のリソースが必要とされる場合には、「支配的に干渉している」サブ帯域でさえも割り当てられうる。
【００４２】
図４は、ある態様にしたがってリソースを割り当てるためにＡＰによって実行されうる動作４００の例を示す。この動作は、４０２において、送信のための第１のサブ帯域のリソースを選択することによって始まる。この選択を行うために、ＡＰは、前述したように、バックホール接続を経由して他のＡＰから受信した緩慢な時間スケール情報を利用しうる。
【００４３】
４０４では、第１のサブ帯域のリソースの枯渇をもたらすトラフィック負荷の変化が検出される。例えば、ＡＰは、第１のサブ帯域のリソースのうちのすべてまたは実質的にすべてを利用する量のデータを送信しうる。
【００４４】
４０６では、第２のサブ帯域のリソースが、ランダムに選択される。第２のサブ帯域は、支配的な干渉体であるか、および／または、別のデバイスに既に割り当てられている。しかしながら、このリソースをランダムに割り当てることによって、干渉は平均化されうる。
【００４５】
図５は、１つの実施形態にしたがって、ＡＰ間の干渉を緩和するために、分類（または、「カラーリング」）スキームを用いてリソースを割り当てるための動作５００の例を示す。動作５００は、図４を参照して記載されたハイブリッド技術の特定の実施形態と考えられうる。
【００４６】
動作５００は、無線ネットワーク内のおのおののＡＰによって個別に実行されうる。用語「カラー」は、単に、所与の通信リンクの異なる分類を称するために使用される。したがって、所与のリンクへ「カラーを割り当てること」とは単に、（カラーによって）リンクを識別するメカニズムであり、その他任意の適切な分類メカニズムも使用されうる。
【００４７】
ＡＰは、１または複数の「支配的な送信機」を識別しうる。これは、一般に、送信が自身の送信との実質的な干渉を引き起こすＡＰを称する。５０２では、ＡＰは、カラーリング・スキームにしたがって、送信機と受信機との間の所与のリンクにカラーを割り当てうる。この例について、以下により詳細に説明する。そのようなスキームによれば、５０４において、所与のリンクが支配的な干渉体となるすべてのリンクと、所与のリンクに対する支配的な干渉体であるすべてのリンクとに、異なるカラーが割り当てられうる。
【００４８】
５０６では、おのおののカラーが、サブ帯域にマップされる。ある態様によれば、高速分散ランダム・アルゴリズムが、このようなカラーリング・スキームを、効率的かつ、ほとんど調整することなく計算しうる。例えば、カラー割り当て制約を用いることによって、所与のリンクにおける制約および／または競合の合計数が、利用可能なカラーの合計数の半分を超えないように制限されうる。
【００４９】
所与のリンクにおいて、所与のトランザクションのためのリソースを割り当てるために、カラーリング・スキームに基づいて、選択が始まる。例えば、５０８では、所与のリンクに割り当てられたカラーにマップされたサブ帯域のリソースが選択される。もしもこれらのリソースで十分であると５１０において判定されると、さらなる選択は不要となり、５１８において、選択されたリソースを用いて送信がなされうる。送信は、これらリソースが十分であれば、これらリソースを用いて継続しうる。
【００５０】
一方、追加のリソースが必要な場合、ステップ５１２において、所与のリンクに対して支配的な干渉体であるリンク、または、所与のリンクが支配的な干渉体であるリンク、に割り当てられていないサブ帯域を用いることから始まって、リソースがランダムに選択されうる。追加のリソースが未だに必要であると５１４で判定された場合、５１６において、所与のリンクに対する支配的な干渉体であるリンク、または、所与のリンクが支配的な干渉体であるリンク、に割り当てられたサブ帯域から、リソースが選択されうる。
【００５１】
上述したハイブリッド・アプローチにより、可能な場合には、非支配的な干渉サブ帯域における送信のためのリソースを割り当てるための優先度を与えることによって、干渉を回避することが可能となる。非支配的な干渉サブ帯域のリソースが使い果たされた場合、支配的な干渉サブ帯域のリソースが、干渉の平均化を助けるランダム方式で割り当てられうる。
【００５２】
図６は、本開示のある態様にしたがって、ハイブリッド割当スキームのグラフィック的な例示を提供する。例示する例は、利用可能な帯域幅が、（送信機と受信機との間の）異なるリンクにマップされた３つのサブ帯域（１、２、３）に分割されると仮定する。
【００５３】
異なる「フレーム」について（サブ帯域１にマップされた）第１のリンクへのリソースの割当が示されている。フレームは、対応する期間にわたり定義されたスペクトル・リソースの構成と考えられる。サブ帯域３は、異なるリンクにマップされうる。別のリンク（リンク３）が、サブ帯域３にマップされうる。２つのリンクは、個別のサブ帯域に関連付けられているので、互いの送信について、ほとんど干渉は生じない。これら異なるフレームは、所与のフレームに割り当てられたリソースが、水平方向のクロス・ハッチングによって示されているという仮説リンクに割り当てられた異なるリソースを示す。
【００５４】
フレーム６００では、初期状態（ｔ＝ｔ０）において、サブ帯域１、３が、異なるクロス・ハッチングを用いて示された異なるカラー６０３、６０５でマップされる。前述したように、これらサブ帯域は、リンク１、３にそれぞれ割り当てられる。サブ帯域２は、「無カラー」として例示される。なぜなら、サブ帯域２は、所与のリンクと関連付けられていないし、所与のリンクが支配的な干渉体であるリンクにも関連付けられていないし、所与のリンクに対して支配的な干渉体であるリンクにも関連付けられていないからである。
【００５５】
フレーム６１０（ｔ＝ｔ１）では、サブ帯域１からのリソースは、リンク１の現在の要求に対して十分である。したがって、例示されたリソース割当は、サブ帯域１からのみとなる。
【００５６】
フレーム６２０（ｔ＝ｔ２）では、リンク１の現在の要求が増加する。サブ帯域１のすべてのスペクトル・リソースを使い果たした後、未割当のサブ帯域２から始まり、追加リソースが割り当てられる。１つの実施形態では、１つ超える未割当のサブ帯域が存在しうる。ＡＰは、未割当のサブ帯域から、ランダムに、あるいは、他のＡＰとの緩慢な時間スケールの調整を用いた調整アプローチによって選択する。
【００５７】
フレーム６３０（ｔ＝ｔ３）では、リンク１の現在の要求がさらに高くなる。リンク１に割り当てられたサブ帯域（サブ帯域１）のリソースと、非支配的な干渉リンクに割り当てられたサブ帯域（サブ帯域２）のリソースとを使い果たすと、サブ帯域３が支配的な干渉体に関連付けられている場合であっても、サブ帯域３からリソースが（例えば、ランダムに）選択される。
【００５８】
複数のソースによるサブ帯域３のリソースの同時使用が、干渉をもたらしうる一方で、これらソースのうちの１つが、対応するリンクで送信するためにほんの数ビットしか持たない場合、干渉は、比較的低くなりうる。したがって、本明細書に示されたハイブリッド技術は、複数のリソースが、同じサブ帯域からのリソースを共有する状況であっても、好ましい結果となりうる。
【００５９】
ある態様によれば、（例えば、バックホール・リンクを経由したリソース・ネゴシエーション・メッセージの交換による）緩慢な時間スケール調整が、支配的な干渉体のうちのどれが、送信する最小ビットを持っているのかを通信するために使用されうる。支配的な干渉体に既に割り当てられたサブ帯域のリソースが割り当てられるべきであるというイベントでは、他の支配的な干渉体よりも、送信するビットが比較的少ない支配的な干渉体に割り当てられたサブ帯域が選択されうる。したがって、本明細書に示されたハイブリッド割当スキームを用いた場合でさえも、緩慢な時間スケールの調整が実行されていないスキームと比較した場合、ネットワーク干渉を低減するために、緩慢な時間スケールの情報が利用されうる。
【００６０】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図４および図５に例示されるブロック４００およびブロック５００は、図４Ａおよび図５Ａに例示されるｍｅａｎｓ−ｐｌｕｓ−ｆｕｎｃｉｔｏｎブロックに対応する。
【００６１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００６２】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６４】
記載された機能は、ハードウェア、ソフトウェア、ファームウェア、またはこれら任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ＣＤ）、レーザ・ディスク、光ディスク、ディジタル・バーサタイル・ディスク（ＤＶＤ）、フロッピー（登録商標）ディスク、およびＢｌｕ−ｒａｙ（登録商標）ディスクを含んでいる。ここで、ｄｉｓｋは通常、データを磁気的に再生する一方、ｄｉｓｃは、レーザを用いてデータを光学的に再生する。
【００６５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６７】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００６８】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］
無線通信システムにおいてリソースを割り当てるための方法であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類することと、
少なくとも前記第１のリンクのリソース・ニーズに関する負荷情報を、バックホール接続を経由して受信することと、
前記負荷情報に基づいて、前記第１のリンクにおける送信のために、第１のサブ帯域のリソースを割り当て、前記第１のサブ帯域のリソースを使い果たした後、前記第２のリンクに関連付けられた第２のサブ帯域のリソースを割り当てることと
を備える方法。
［Ｃ２］
前記第２のサブ帯域のリソースを割り当てることは、前記第２のサブ帯域のリソースをランダム方式で割り当てることを備えるＣ１に記載の方法。
［Ｃ３］
前記負荷情報は、少なくとも、前記第１のリンク、前記第２のリンク、および第３のリンクのリソース・ニーズに関する負荷情報を備え、
前記割り当てることは、前記第３のリンクよりも前記第２のリンクの負荷が少ないことを判定した後に、前記第２のリンクに関連付けられた前記第２のサブ帯域のリソースを割り当てることを決定することを備える
Ｃ１に記載の方法。
［Ｃ４］
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類することをさらに備え、  前記割り当てることは、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てることを備える
Ｃ１に記載の方法。
［Ｃ５］
前記割り当てることは、前記第１のサブ帯域および前記第２のサブ帯域を使い果たした後に、前記第３のサブ帯域のリソースをランダムに割り当てることを備えるＣ４に記載の方法。
［Ｃ６］
前記第１のサブ帯域および前記第２のサブ帯域は、グラフのためにノード・カラーリング・アルゴリズムを適用することによって、前記第１のリンクおよび前記第２のリンクに関連付けられ、（ａ）おのおののリンクはノードに対応し、（ｂ）第１のノードが、第２のノードによって表されるリンクについての支配的な干渉体であるリンクを表しているか、または、前記第２のノードが、前記第１のノードによって表されるリンクについての支配的な干渉体であるリンクを表しているかの何れかである場合、前記第１のノードおよび前記第２のノードがエッジで接続されており、（ｃ）前記ノード・カラーリング・アルゴリズムは、エッジで接続された任意の２つのノードが、異なるカラーを持つようにカラーリングし、
おのおののカラーが、サブ帯域にマップされるＣ１に記載の方法。
［Ｃ７］
より高い負荷を持つリンクに、１より多いカラーを割り当てるように、平均負荷情報が考慮されるＣ６に記載の方法。
［Ｃ８］
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類するためのロジックと、
少なくとも前記第１のリンクのリソース・ニーズに関する負荷情報を、バックホール接続を経由して受信するためのロジックと、
前記負荷情報に基づいて、前記第１のリンクにおける送信のために、第１のサブ帯域のリソースを割り当てるためのロジックと、
前記第１のサブ帯域のリソースを使い果たした後、前記第２のリンクに関連付けられた第２のサブ帯域のリソースを割り当てるためのロジックと
を備える装置。
［Ｃ９］
前記第２のサブ帯域のリソースを割り当てるためのロジックは、前記第２のサブ帯域のリソースをランダム方式で割り当てるためのロジックを備えるＣ８に記載の装置。
［Ｃ１０］
前記負荷情報は、少なくとも、前記第１のリンク、前記第２のリンク、および第３のリンクのリソース・ニーズに関する負荷情報を備え、
前記割り当てるためのロジックは、前記第３のリンクよりも前記第２のリンクの負荷が少ないことを判定した後に、前記第２のリンクに関連付けられた前記第２のサブ帯域のリソースを割り当てることを決定するためのロジックを備える
Ｃ８に記載の装置。
［Ｃ１１］
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類するためのロジックをさらに備え、
前記割り当てるためのロジックは、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てるためのロジックを備える
Ｃ８に記載の装置。
［Ｃ１２］
前記割り当てるためのロジックは、前記第１のサブ帯域および前記第２のサブ帯域を使い果たした後に、前記第３のサブ帯域のリソースをランダムに割り当てるためのロジックを備えるＣ１１に記載の装置。
［Ｃ１３］
前記第１のサブ帯域および前記第２のサブ帯域は、グラフのためにノード・カラーリング・アルゴリズムを適用することによって、前記第１のリンクおよび前記第２のリンクに関連付けられ、（ａ）おのおののリンクはノードに対応し、（ｂ）第１のノードが、第２のノードによって表されるリンクについての支配的な干渉体であるリンクを表しているか、または、前記第２のノードが、前記第１のノードによって表されるリンクについての支配的な干渉体であるリンクを表しているかの何れかである場合、前記第１のノードおよび前記第２のノードがエッジで接続されており、（ｃ）前記ノード・カラーリング・アルゴリズムは、エッジで接続された任意の２つのノードが、異なるカラーを持つようにカラーリングし、
おのおののカラーが、サブ帯域にマップされるＣ８に記載の装置。
［Ｃ１４］
より高い負荷を持つリンクに、１より多いカラーを割り当てるように、平均負荷情報が考慮されるＣ１３に記載の装置。
［Ｃ１５］
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類する手段と、
少なくとも前記第１のリンクのリソース・ニーズに関する負荷情報を、バックホール接続を経由して受信する手段と、
前記負荷情報に基づいて、前記第１のリンクにおける送信のために、第１のサブ帯域のリソースを割り当てる手段と、
前記第１のサブ帯域のリソースを使い果たした後、前記第２のリンクに関連付けられた第２のサブ帯域のリソースを割り当てる手段と
を備える装置。
［Ｃ１６］
前記第２のサブ帯域のリソースを割り当てることは、前記第２のサブ帯域のリソースをランダム方式で割り当てることを備えるＣ１５に記載の装置。
［Ｃ１７］
前記負荷情報は、少なくとも、前記第１のリンク、前記第２のリンク、および第３のリンクのリソース・ニーズに関する負荷情報を備え、
前記割り当てる手段は、前記第３のリンクよりも前記第２のリンクの負荷が少ないことを判定した後に、前記第２のリンクに関連付けられた前記第２のサブ帯域のリソースを割り当てることを決定する手段を備える
Ｃ１５に記載の装置。
［Ｃ１８］
前記第１のリンクにおける送信が、第３のリンクにおける送信と実質的に干渉しないと判定されたこと、または、前記第３のリンクにおける送信が、前記第１のリンクにおける送信と実質的に干渉しないと判定されたこと、のうちの少なくとも１つに基づいて、少なくとも前記第３のリンクを、非支配的な干渉リンクとして分類する手段をさらに備え、
前記割り当てる手段は、前記第１のサブ帯域のリソースを使い果たした後に、前記第２のサブ帯域のリソースを割り当てる前に、前記第１のリンクにおける送信のために、前記第３のリンクに関連付けられた第３のサブ帯域のリソースを割り当てる手段を備える
Ｃ１５に記載の装置。
［Ｃ１９］
前記割り当てることは、前記第１のサブ帯域および前記第２のサブ帯域を使い果たした後に、前記第３のサブ帯域のリソースをランダムに割り当てることを備えるＣ１８に記載の装置。
［Ｃ２０］
前記第１のサブ帯域および前記第２のサブ帯域は、グラフのためにノード・カラーリング・アルゴリズムを適用することによって、前記第１のリンクおよび前記第２のリンクに関連付けられ、（ａ）おのおののリンクはノードに対応し、（ｂ）第１のノードが、第２のノードによって表されるリンクについての支配的な干渉体であるリンクを表しているか、または、前記第２のノードが、前記第１のノードによって表されるリンクについての支配的な干渉体であるリンクを表しているかの何れかである場合、前記第１のノードおよび前記第２のノードがエッジで接続されており、（ｃ）前記ノード・カラーリング・アルゴリズムは、エッジで接続された任意の２つのノードが、異なるカラーを持つようにカラーリングし、
おのおののカラーが、サブ帯域にマップされるＣ１５に記載の装置。
［Ｃ２１］
より高い負荷を持つリンクに、１より多いカラーを割り当てるように、平均負荷情報が考慮されるＣ２０に記載の装置。
［Ｃ２２］
１または複数のプロセッサによって実行されることが可能な格納された命令群を有するコンピュータ読取可能媒体を備え、無線通信システムにおいてリソースを割り当てるためのコンピュータ・プログラム製品であって、前記命令群は、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類するための命令群と、
少なくとも前記第１のリンクのリソース・ニーズに関する負荷情報を、バックホール接続を経由して受信するための命令群と、
前記負荷情報に基づいて、前記第１のリンクにおける送信のために、第１のサブ帯域のリソースを割り当てるための命令群と、
前記第１のサブ帯域のリソースを使い果たした後、前記第２のリンクに関連付けられた第２のサブ帯域のリソースを割り当てるための命令群と
を備えるコンピュータ・プログラム製品。
［Ｃ２３］
無線通信システムにおいてリソースを割り当てるための装置であって、
第１のリンクにおける送信が少なくとも潜在的に第２のリンクにおける送信と干渉する、または、第２のリンクにおける送信が少なくとも潜在的に第１のリンクにおける送信と干渉する、のうちの少なくとも１つの判定に基づいて、少なくとも前記第２のリンクを、支配的な干渉リンクとして分類し、
少なくとも前記第１のリンクのリソース・ニーズに関する負荷情報を、バックホール接続を経由して受信し、
前記負荷情報に基づいて、前記第１のリンクにおける送信のために、第１のサブ帯域のリソースを割り当て、前記第１のサブ帯域のリソースを使い果たした後、前記第２のリンクに関連付けられた第２のサブ帯域のリソースを割り当てる、
ように構成された少なくとも１つのプロセッサを備える装置。
【図１】
0005453455.tif 000002
【図２】
0005453455.tif 000003
【図３】
0005453455.tif 000004
【図４】
0005453455.tif 000005
【図４Ａ】
0005453455.tif 000006
【図５】
0005453455.tif 000007
【図５Ａ】
0005453455.tif 000008
【図６】
0005453455.tif 000009